(57)【特許請求の範囲】
【請求項１】
太陽光発電パネルと山部と谷部を有する屋根材とを一体化した屋根材付き太陽光発電パネル用の屋根材付き軒先材であって、
該屋根材付き軒先材は、
軒先材と屋根材とが一体化されており、
前記軒先材は、
水下側に折り下げ部が形成され、
屋根材取り付け部と侵入防止下り壁とが一体化されており、
侵入防止下り壁の水上側の面を屋根材の山部の水下端部に当接させて、
前記屋根材取り付け部に屋根材の山部を止着具によって取り付けたときに、
前記侵入防止下り壁の下端部と屋根材の谷部との間に約２０ミリメートル以下の隙間を形成することを特徴とする屋根材付き軒先材。
【発明の詳細な説明】
【技術分野】
【０００１】
本発明は、太陽光発電パネルと波状の屋根材とを一体化した屋根材付き太陽光発電パネルの設置に用いる軒先材に関するものである。
【背景技術】
【０００２】
従来技術について、図７により説明する。
【０００３】
図７は、出願人が特願２０１０−０３０６５７として出願した技術であり、「屋根材付き太陽光発電パネル及び屋根材付き軒先材」の出願である。
明細書の段落番号０００６において、「屋根材は、山部と谷部とを有しており、軒棟方向に連通する空間が形成されている」と、記載した。
この軒棟方向に連通する空間は、屋根面と太陽光発電パネルとの間の通気や排水をする役割を果たしている。太陽光発電パネルと屋根材との間に通気機能を備えることによって、温度上昇による発電効率の低下を抑える効果が得られる。同時に、排水機能を備えることによって、屋根材上に水をためることなく水下側に排水することができるので、屋根材や金具類の腐食を抑える効果が得られる。
【先行技術文献】
【特許文献】
【０００４】
【特許文献１】特願２０１０−０３０６５７号
【発明の概要】
【発明が解決しようとする課題】
【０００５】
図７に示した軒先材Ｂ１は、屋根材の水下端部と軒先材Ｂ１の折り下げ部１５との間に間隔をあけて固定（一体化）するために、軒棟方向において最適な位置に取り付けられるよう、段差を設けている。しかし、その段差が小さいために、位置決めの機能を果たせず、軒先材Ｂ１の取り付け位置がずれてしまうことがあった。さらには、屋根材の水下端部が本来の取り付け位置を通り過ぎ、折り下げ部１５に突き当たる位置まで行ってしまうこともある。屋根材の水下端部が折り下げ部１５に突き当たる位置に、軒先材Ｂ１を取り付けてしまうと、通気や排水ができなくなってしまう。
また、屋根材の水下端部から軒棟方向に連通する空間に雀等の小動物が侵入し、通気や排水の妨げになる場合があった。
【０００６】
本願は、軒先材を屋根材に取り付けるための位置決めが容易であり、かつ太陽光発電パネルと屋根材との間に小動物が侵入するのを防止できる軒先材を提供することを目的とする。
【課題を解決するための手段】
【０００７】
本願の軒先材は、太陽光発電パネルと波状の屋根材とを一体化した屋根材付き太陽光発電パネル用軒先材である。
屋根材取り付け部と侵入防止下り壁とが一体化されており、該侵入防止下り壁の水上側の面を屋根材の山部の水下端部に当接させて、前記屋根材取り付け部に屋根材の山部を取り付けたときに、前記侵入防止下り壁の下端部と屋根材の谷部との間に小動物が入らない隙間を形成することを特徴とする。
【発明の効果】
【０００８】
軒先材を山部と谷部とを有する屋根材に取り付けるのに際し、段差ではなく侵入防止下り壁によって位置決めすることで、軒先材の取り付け位置がずれてしまったり、屋根材の水下端部が折り下げ部に突き当たる位置まで行ってしまうこともない。そのため、軒先材を屋根材に取り付けるのが簡単になる。
また、本願の軒先材は、侵入防止下り壁の下端と屋根材の谷間との間の隙間により通気・排水機能を保持しつつ、侵入防止下り壁により太陽光発電パネルと屋根材の間に小動物が侵入するのを防止することができる。
【図面の簡単な説明】
【０００９】
【図１】本発明の軒先材を取り付ける屋根材の例を示す斜視図である。
【図２】図１のＡ−Ａ線断面図である。
【図３】本発明の軒先材の例を示す斜視図である。
【図４】図３のＢ−Ｂ線断面図である。
【図５】本発明の実施例である屋根材付き軒先材の説明図である。
【図６】本発明の実施例である屋根材付き軒先材を取り付けた状態を示す説明図である。
【図７】従来技術の説明図である。
【実施例】
【００１０】
本願の軒先材の実施例について、図１、図２、図３、図４、図５、図６により説明する。 
図１は、軒先材を取り付ける屋根材の斜視図である。図２は、図１に示した屋根材のＡ−Ａ線断面図である。図３は、軒先材の斜視図である。図４は、図３に示した軒先材のＢ−Ｂ線断面図である。図５は、軒先材を屋根材に取り付けた状態を示す説明図である。図６は実施例である屋根材付き軒先材を示す説明図である。 
【００１１】
まず、図１及び図２で示した屋根材２は、山部２２と谷部２３とを交互に形成した波状のものであり、軒棟方向に連通する空間を有する。ただし、これは一例であり、山部２２と谷部２３とを有した波状のものであれば、谷部２３を広くした形状又は、谷部２３を狭くした形状でもよい。この屋根材２の山部２２と谷部２３は、太陽光発電パネルと屋根材２との間、また、軒先材１と屋根材２との間の通気・排水の機能を果たす。
【００１２】
図３及び図４で示した軒先材１は、屋根材取り付け部１３と侵入防止下り壁１２とを一体化したものである。図４の例では、水上側に屋根材付き太陽光発電パネルと嵌合できる嵌合部１４が形成され、水下側に屋根材端部が包み込まれる折り下げ部１５が形成されている。屋根材取り付け部１３と侵入防止下り壁１２が一体化されていて通気・排水機能を妨げなければ、このように施工性を向上させる嵌合部１４を設けたり、機能性や意匠性を向上させる折り下げ部１５を設けてもよく、それらの形状は問わない。
【００１３】
図５で示すように、屋根材２に、軒先材１を取り付ける。この際、軒先材１の侵入防止下り壁１２の水上側の面を屋根材２の山部の水下端部に突き当てて、軒先材１の屋根材取り付け部１３と屋根材２の山部とをリベットなどの止着具１６によって固定する。なお、この固定は、止着具を用いずに溶接等で行ってもよい。 
この軒先材１の侵入防止下り壁１２は、水上側の面を屋根材２の山部の水下端部に突き当てるだけで、軒棟方向における最適な位置に軒先材１を取り付けられるよう、設計されている。 
また、軒先材１の侵入防止下り壁１２の高さは、軒先材１を屋根材２に取り付けた際、軒先材１の侵入防止下り壁１２の下端部と屋根材２の谷部との間に、隙間ができるよう、設計しておく。なお、その隙間は小動物が侵入できない程度である。たとえば、侵入する小動物としては、雀が代表的である。市販の雀よけ製品の仕様によれば、約２０ミリメートル以下の隙間であれば雀は侵入できないとされている。そのため、軒先材１の侵入防止下り壁１２の下端部と屋根材２の谷部との隙間は、約２０ミリメートル以下であることが望ましい。ただし、侵入の可能性のある小動物は様々であり、その大きさも異なるので、侵入が想定される小動物の大きさに応じて隙間の大きさを設定すればよい。 
その結果、通気・排水機能を確保しながら、小動物の侵入を防止することができる。 
【００１４】
図６で示すように、軒先材１を屋根材２に取り付けることによって、それらを一体化した屋根材付き軒先材Ａとしておき、屋根上に設置する。屋根上への設置に際しては、出願人が特願２０１０−０３０６５７として出願した技術である「屋根材付き太陽光発電パネル及び屋根材付き軒先材」の屋根材付き軒先材として利用することが望ましい。図４のように本願の軒先材１の水上側に嵌合部１４を形成しておくことによって、特願２０１０−０３０６５７における屋根材付き軒先材として利用することができる。
【符号の説明】
【００１５】
１      軒先材
１２    侵入防止下り壁
１３    屋根材取り付け部
１４    嵌合部
１５    折り下げ部
１６    止着具
２      屋根材
２２    山部
２３    谷部
Ａ      屋根材付き軒先材
Ｂ      屋根材付き太陽光発電パネル
【図１】
0005423665.tif 000002
【図２】
0005423665.tif 000003
【図３】
0005423665.tif 000004
【図４】
0005423665.tif 000005
【図５】
0005423665.tif 000006
【図６】
0005423665.tif 000007
【図７】
0005423665.tif 000008